(57)【要約】      （修正有）【課題】フィルターを便利にしっかりセットできると同時に、使用しない際には収納することができ、占領スペースを減少し、携帯に便利なコーヒードリッパーホルダーの構造を提供する。【解決手段】主に外リング、内リングで構成するコーヒードリッパーホルダーの構造であって、外リング１０と内リング２０が互いに対応する縁の部分で一体に接続する。内リングと外リングは接続を一つの軸として回転することで、内リングの外表面２１及び外リングの内表面１１がくっつき、また離れる。内リングの外表面と外リングの内表面がくっつく際、内リングと外リングは掛合装置を通じて掛合する。外リングの外表面には収納できるハンドル３０が設置される。【選択図】図１
0003229935.tif 000002
【実用新案登録請求の範囲】
【請求項１】
外リング、内リングを含み、
該外リングと内リングが互いに対応する縁の部分を接続し、該内リングの外表面は回転することで、外リングの内表面とくっつく及び離れ、該内リングの外表面と外リングの内表面がくっつく際、該内リングと外リングは掛合装置を通じて掛合し、該外リングの外表面には収納できるハンドルを設置することを特徴とするコーヒードリッパーホルダーの構造。
【請求項２】
前記該掛合装置に含まれるのは、外リングに設置する掛合ブロック及び内リングに設置する掛合口であることを特徴とする請求項１記載のコーヒードリッパーホルダーの構造。
【請求項３】
前記該ハンドルは握る端及び接続端を含み、該接続端は平行して設置する二本の弾性接続柱を含み、該二本の弾性接続柱には弾性接続柱から直角に曲がり、且つ外側に延伸する接続軸を設置し、該外リングに二つのＵ字型開口の設置台を設け、該二つの設置台の開口は相対して設置し、該設置台には、接続軸と合わせるための接続穴を設け、該二本の弾性接続柱はそれぞれ二つの設置台にあるＵ字型開口内でしっかりと掛合し、且つ接続軸は接続穴内に嵌ることを特徴とする請求項１記載のコーヒードリッパーホルダーの構造。
【請求項４】
前記該外リング及び内リングにはいずれも切欠口を設置し、該切欠口は、ハンドルが外リングと内リングと合わせた後、全体の内側に回転して収納する際に必要な部分であることを特徴とする請求項１記載のコーヒードリッパーホルダーの構造。
【請求項５】
前記該外リングの内表面にフィルターチャック部分を挟む挟掛を設置することを特徴とする請求項１、請求項２、請求項３或いは請求項４のいずれか１項に記載のコーヒードリッパーホルダーの構造。
【請求項６】
前記該外リングの外縁に開口が下向きのリング掛合口を設置し、該外リングの底部に、円周に沿って分布する複数個のサポートフレームを設置し、該サポートフレームの上端をリング掛合口の部分に掛合し、該サポートフレームの下端はフレーム台座と接続し、該サポートフレームとフレーム台座の間を接続し、該フレーム台座に液体貫通穴を設置することを特徴とする請求項１、請求項２、請求項３或いは請求項４のいずれか１項に記載のコーヒードリッパーホルダーの構造。
【考案の詳細な説明】
【技術分野】
【０００１】
本考案はコーヒードリッパーホルダーの構造に関する。
【背景技術】
【０００２】
聞くところによると、コーヒードリッパーホルダーはコーヒーを淹れる過程において、大変重要な役割を持つものである。しかし、目下市場に出回る多くのコーヒードリッパーホルダーにフィルターをセットする際、フィルターをしっかりセットできない、セットしにくい、またはその多くが一定の体積があるため、スペースを占領するだけでなく、収納しにくく及び持ち出すのに不便などの問題があることを鑑みて、更なる改善が必要であった。
【考案の概要】
【考案が解決しようとする課題】
【０００３】
前記公知構造の欠点を解決するために、本考案は便利にしっかりとセットすることができ、且つ携帯しやすいコーヒードリッパーホルダーの構造を提供することを主な課題とする。
【課題を解決するための手段】
【０００４】
上述の目的を解決するために、本考案はコーヒードリッパーホルダーの構造を提供するものである。外リング、内リングを含み、該外リングと内リングが互いに対応する縁の部分で一体に接続する。該内リングと外リングは該接続を一つの軸として回転することで、内リングの外表面及び外リングの内表面がくっつく及び離れる。該内リングの外表面と外リングの内表面がくっつく際、該内リングと外リングは掛合装置を通じて掛合する。該外リングの外表面には収納できるハンドルを設置する。
【０００５】
前述の主な特徴に基づき、該掛合装置に含まれるのは、外リングに設置する掛合ブロック及び内リングに設置する掛合口である。
【０００６】
前述の主な特徴に基づき、該ハンドルは握る端及び接続端を含み、該接続端は平行して設置する二本の弾性接続柱を含み、該二本の弾性接続柱には弾性接続柱から直角に曲がり、且つ外側に延伸する接続軸を設置し、該外リングに二つのＵ字型開口の設置台を設け、該二つの設置台の開口は相対して設置する。該設置台には、接続軸と合わせるための接続穴を設け、該二本の弾性接続柱２はそれぞれ二つの設置台にあるＵ字型開口内でしっかりと掛合し、且つ接続軸は接続穴内に嵌る。
【０００７】
前述の主な特徴に基づき、該外リング及び内リングにはいずれも切欠口を設置し、該切欠口は、ハンドルが外リングと内リングと合わせた後、全体の内側に回転して収納する際に必要な部分である。
【０００８】
前述の主な及び第二の特徴に基づき、該外リングの内表面にフィルターチャック部分を挟む挟掛を設置する。
【０００９】
前述の主な及び第二の特徴に基づき、該外リングの外縁に開口が下向きのリング掛合口を設置し、前記外リングの底部に、円周に沿って分布する複数個のサポートフレームを設置する。前記サポートフレームの上端をリング掛合口の部分に掛合し、前記サポートフレームの下端はフレーム台座と接続し、前記サポートフレームとフレーム台座の間を接続し、前記フレーム台座に液体貫通穴を設置する。
【考案の効果】
【００１０】
本考案の構造により、コーヒードリッパーホルダーにフィルターをセットする際、フィルターをしっかりセットし、便利にセットできると同時に、使用しない際には収納することができ、占領するスペースを減少し、携帯するのに便利である。
【図面の簡単な説明】
【００１１】
【図１】本考案のコーヒードリッパーホルダーの分解構造図である。
【図２】本考案のコーヒードリッパーホルダーの組立状態立体図である。
【図３】本考案のコーヒードリッパーホルダーの組立状態側面図である。
【図４】本考案のコーヒードリッパーホルダーの内リングを外リングから外した状態の立体図である。
【図５】本考案のコーヒードリッパーホルダーのハンドルを収納した状態の構造図である。
【図６】フィルターをホルダーに設置した際、フィルターチャック部分をしっかり挟掛した状態図である。
【図７】本考案のコーヒードリッパーホルダーの組立状態の別の立体図である。
【図８】本考案のサポートフレーム及びサポートフレーム台座のサポート状態構造図である。
【図９】本考案のコーヒードリッパーホルダーの使用状態図である。
【図１０】本考案のサポートフレーム及びサポートフレームの台座を折り畳んだ状態の構造図である。
【図１１】本考案のコーヒードリッパーホルダーの全体収納状態図である。
【考案を実施するための形態】
【００１２】
上述及びその他の目的及び効果に達するため、本考案の技術及び構造を、最良実施例と図面を参照しながら、その特徴及び機能を下記に詳細に説明する。
【実施例１】
【００１３】
図１から図６に示すように、本考案はコーヒードリッパーホルダーを提供し、それに含まれるのは外リング１０、内リング２０であり、該外リング１０と内リング２０が互いに対応する縁の部分で一体に接続する。該内リング２０と外リング１０は該接続を一つの軸として回転することで、内リング２０の外表面２１及び外リング１０の内表面１１がくっつく及び離れる。該内リング２０の外表面２１と外リング１０の内表面１１がくっつく際、図２に示すように、該内リング２０と外リング１０は掛合装置を通じて掛合する。該外リング１０の外表面にはハンドル３０を設置する。
【００１４】
本考案の一つの最良実施例において、該掛合装置に含まれるのは、図１及び図３に示すように、外リング１０に設置する掛合ブロック１２及び内リング２０に設置する掛合口２２である。
【００１５】
本考案の一つの最良実施例において、該ハンドル３０は握る端３１及び接続端３２０を含み、該接続端３２０は平行して設置する二本の弾性接続柱３２を含み、該二本の弾性接続柱３２には弾性接続柱３２から直角に曲がり、且つ外側に延伸する接続軸３３を設置し、該外リング１０に二つのＵ字型開口の設置台１３を設け、該二つの設置台１３の開口は相対して設置する。該設置台１３には、接続軸３３と合わせるための接続穴１４を設け、該二本の弾性接続柱３２はそれぞれ二つの設置台１３にあるＵ字型開口内でしっかりと掛合し、且つ接続軸３３は接続穴１４内に嵌る(図１を参照)。
【００１６】
図３に示すように、本考案のコーヒードリッパーホルダーには、コーヒーフィルター４０を設置するのに用いることができる。具体的な操作は下記の通り：内リング２０を外リング１０から引っ張り上げ、フィルター３０を外リング１０の中に設置してから内リング２０を戻し、掛合装置を通じて固定すれば、コーヒーフィルター４０の設置が完了する。
【００１７】
上記の構造のハンドル３０は外リング１０の中から外して収納することができ、具体的な過程は下記の通り：取り外しが必要な際は、二つの弾性接続柱３２を押すことで、弾性接続柱３２をＵ字型開口から外し、同時に接続軸３３を接続穴１４から外せば、ハンドル３０を外リング１０から外すことができる。設置が必要な際は、弾性接続柱３２を押し、接続軸３３をＵ字型開口から滑り入れ、接続軸３３を接続穴１４に合わせて入れれば、接続軸３３の弾力作用により、しっかりと接続穴１４の中に掛合する。(図２を参照)。
【００１８】
図４及び図５に示すのは、本考案の一つの最良実施例において、該外リング１０及び内リング２０にはいずれも切欠口１５を設置し、該切欠口１５は、ハンドルが外リング１０と内リング２０と合わせた後、接続軸３３を軸として全体の内側に回転して収納する際に必要な部分である(図５を参照)。
【００１９】
本考案の一つの最良実施例として、図４に示すように、該外リング１０の内表面にフィルターチャック部分４１を挟む挟掛１６を設置することで、フィルター４０をセットする際に、更に便利となる。その中、図６に示すのは、フィルター４０をホルダーにセットする際、フィルターチャック部分４１をしっかりと挟掛する状態図である。
【００２０】
本考案の一つの最良実施例において、図３に示すように、該外リング１０の内表面１１及び内リング２０の外表面２１はいずれも“逆円錐台形状”を呈し、該逆円錐台形状の断面の相対する辺の間の角度は６０°とし、Ｖ６０−０１とＶ６０−０２のコーヒーフィルター４０が適用である。
【００２１】
図７及び図８に示すように、本考案の一つの最良実施例において、該外リング１０の外縁に開口が下向きのリング掛合口１７を設置し、該外リング１０の底部に、円周に沿って分布する複数個のサポートフレーム１８を設置する。該サポートフレーム１８の上端をリング掛合口１７の部分に掛合し、該サポートフレーム１８の下端はフレーム台座１９と接続し、該サポートフレーム１８とフレーム台座１９の間を接続して一体とする。該フレーム台座１９に液体貫通穴１９１を設置する。
【００２２】
図９から図１１に示すように、本考案を使用する際、フィルター４０をホルダーにセットした後、サポートフレーム１８の上端を外リング１０のリング掛合口１７に掛合する。そして、フレーム台座１９をサーバーの上に置き(図９に示す通り)、そしてコーヒーを淹れる。淹れる過程において、コーヒーフィルター４０にある液体は、液体貫通穴１９１を通じてサーバーに入る。使用しない時は、サポートフレーム１８を外リング１０から取り出し、各サポートフレーム１８(該サポートフレーム１８と該フレーム台座１９の接続箇所が軸である)から内側に回転し、フレーム台座１９と重ねてシート状の造形にする(図１０を参照)。図１１に示すように、最後に、重ねた後のサポートフレーム１８及びフレーム台座１９を内リング２０内に入れることで、ドリッパーホルダーを使用しない際に、占領するスペースを減少し、携帯或いは収納に便利となる。
【００２３】
以上の実施例による本考案の詳細な説明は本考案の範囲を制限するものではない。本技術に熟知する者が、本考案の範囲内にて変更や調整を行っても、本考案の重要な意義は失われず、本考案の範囲に含まれる。
【符号の説明】
【００２４】
１０        外リング    
１１        内表面  
１２        掛合ブロック
１３        設置台
１４        接続穴
１５        切欠口
１６        挟掛
１７        リング掛合口    
１８        サポートフレーム
１９        フレーム台座    
１９１  液体貫通穴
２０        内リング
２１        外表面
２２        掛合口
３０        ハンドル
３１        握る端
３２        弾性接続柱
３２０  接続端
３３        接続軸
４０        フィルター
４１        フィルターチャック部分
【図１】
0003229935.tif 000003
【図２】
0003229935.tif 000004
【図３】
0003229935.tif 000005
【図４】
0003229935.tif 000006
【図５】
0003229935.tif 000007
【図６】
0003229935.tif 000008
【図７】
0003229935.tif 000009
【図８】
0003229935.tif 000010
【図９】
0003229935.tif 000011
【図１０】
0003229935.tif 000012
【図１１】
0003229935.tif 000013